(57)【要約】【課題】ロックの解除を容易にでき、容易にケージから取り外すことのできる安価で組立容易なロック機構付きパッケージを提供する。【解決手段】ケージ３２内に挿抜自在に挿入されるパッケージ本体６と、パッケージ本体６に挿抜方向と交差する方向に出没可能に設けられケージ３２に抜き取り方向の移動を規制するように係合されるロック部１２と、パッケージ本体６に挿抜方向スライド自在に設けられ抜き方向にスライドすることでロック部１２をパッケージ本体６内に没入させてケージ３２から離すリリース部材１５とを備えたものである。【選択図】        図３
2004309576.tif 000002
【特許請求の範囲】
【請求項１】
ケージ内に挿抜自在に挿入されるパッケージ本体と、該パッケージ本体に挿抜方向と交差する方向に出没可能に設けられ上記ケージに抜き取り方向の移動を規制するように係合されるロック部と、上記パッケージ本体に挿抜方向スライド自在に設けられ抜き方向にスライドすることで上記ロック部を上記パッケージ本体内に没入させて上記ケージから離すリリース部材とを備えたことを特徴とするロック機構付きパッケージ。
【請求項２】
上記パッケージ本体に、上記リリース部材の少なくとも一部を収容するリリース部材収容部を形成した請求項１記載のロック機構付きパッケージ。
【請求項３】
上記リリース部材は、挿し方向へスライドさせたとき上記パッケージ本体に完全に没入する位置までスライド可能に設けられた請求項１又は２記載のロック機構付きパッケージ。
【請求項４】
上記リリース部材はそのスライド行程中に、上記パッケージ本体に完全に没入する位置から略無負荷で抜き方向にスライドしてパッケージ本体から突出する遊び行程と、上記ロック部に係合してロック部を上記ケージから離脱させるロック解除行程と、上記パッケージ本体に抜き側へのスライドを規制されてパッケージ本体に抜き方向の力を伝える引き抜き行程とを有する請求項１〜３いずれかに記載のロック機構付きパッケージ。
【請求項５】
上記リリース部材をそのスライド方向に沿って弾発付勢する弾性部材を備えた請求項１〜４いずれかに記載のロック機構付きパッケージ。
【請求項６】
上記リリース部材を抜き方向に弾発付勢する弾性部材と、該弾性部材の弾発力に抗して上記リリース部材のスライドを規制するスライド規制機構とを備えた請求項５記載のロック機構付きパッケージ。
【請求項７】
上記パッケージ本体に設けられ上記リリース部材がスライドしたときに上記リリース部材に係合して上記ロック部を上記パッケージ本体内に没入させる従動部を備えた請求項１〜６いずれかに記載のロック機構付きパッケージ。
【請求項８】
上記従動部は上記リリース部材に当接するテーパを有する請求項７記載のロック機構付きパッケージ。
【請求項９】
上記従動部は上記パッケージ本体に枢支または一体形成された請求項７又は８記載のロック機構付きパッケージ。
【請求項１０】
上記リリース部材は上記ロック部を出没方向に貫通させる開口部を有する請求項１〜９いずれかに記載のロック機構付きパッケージ。
【請求項１１】
上記リリース部材は抜き側の端部に取っ手を有する請求項１〜１０いずれかに記載のロック機構付きパッケージ。
【請求項１２】
上記取っ手はリリース部材の一部を成型して形成された請求項１１記載のロック機構付きパッケージ。
【請求項１３】
上記パッケージ本体は、上記取っ手を収容すべく上記取っ手の周囲を切り欠いて形成した収容スペースを有する請求項１１又は１２記載のロック機構付きパッケージ。
【請求項１４】
上記パッケージ本体に、上記リリース部材が上記ロック部を没入させているときに上記リリース部材に係合して上記リリース部材の抜き方向の相対移動を規制するストッパ手段を設けた請求項１〜１３いずれかに記載のロック機構付きパッケージ。
【発明の詳細な説明】
【０００１】
【発明の属する技術分野】
本発明は、光送受信モジュールなどの光通信用パッケージに係り、ケージに対して交換可能に取り付けられる光通信用のロック機構付きパッケージに関するものである。
【０００２】
【従来の技術】
長距離高速光通信などに使用する光送受信モジュールは、送信用光素子と受信用光素子とを１つのパッケージに収容したものである。また、光送受信モジュールは、光信号や電気信号の変調、増幅、補償或いは安定化のための電気素子をも上記パッケージに収容している。この光送受信モジュールと外部伝送路としての光ファイバとを接続するために、光素子に通じる開口部をパッケージに形成し、この開口部に光ファイバの端末に取り付けられている光ファイバコネクタを挿入するようにした、いわゆるリセプタクルタイプの光送受信モジュールがある。
【０００３】
多数の光ファイバを集中配線する通信機器では、多数の光送受信モジュールの開口部をパネルに整列配置することで、任意の開口部に任意の光ファイバコネクタを挿入できるように配慮してある（本発明の図１９参照）。パネルにおける光送受信モジュール開口部の配置をより集約すると共に通信機器内部の配線を簡素にするため、基板の端部に光送受信モジュールを整列配置し、各々の開口部がパネルの各窓から露出するよう、上記基板を通信機器内に設置するのが望ましい。
【０００４】
一方、光送受信モジュール内の光学素子や電気素子に不具合が生じたときや、通信仕様（光波長や変調方式など）を相手と整合させたいときなど、光送受信モジュールをアセンブリ交換して対応したい場合がある。このため、図２２及び図２３に示すように、基板３０上には光送受信モジュール（図示せず）のパッケージ３１を機械的に保持するためのケージ３２が設けられ、ケージ３２を介して基板３０に光送受信モジュールを着脱できるようになっている。
【０００５】
ケージ３２は、一端（前端）を開放された前後に長い箱型に形成されており、前端からパッケージ３１を挿抜できるようになっている。電気的には、パッケージ３１の後端に接続端子群（図示せず）を形成し、基板３０上にはその相手方となる接続端子群（図示せず）を配置しておくことで、パッケージ３１をケージ３２に挿入したとき、接続が図られるようになっている。これにより、パネルの窓からパッケージ３１を挿抜することができ、通信機器を分解することなく光送受信モジュールを交換できるようになっている。
【０００６】
ケージ３２とパッケージ３１には、互いに係止しあうための雌雄ロック機構３３，３４がそれぞれ設けられている。雌側ロック機構３４は、ケージ３２の底面３５の前端部に前後に延びる２本の切り込み３６を形成し、これら切り込み３６の間に形成された第１板バネ３７と、第１板バネ３７に三角形に開口するように形成された係合穴３８とからなる。第１板バネ３７の前端には若干の反り３９が形成されている。雄側ロック機構３３は、係合穴３８に嵌め込むための突起（ロック部）をパッケージ３１の底面（図示せず）に設けてなるものである。
【０００７】
また、パッケージ３１には、通信機器のパネル外からアクセスしてロックを解除するためのリリース機構４０が設けられている。リリース機構４０は、パッケージ３１の前部に第１板バネ３７を押し下げるためのスライドブロック４１を前後方向にスライド可能に設けてなるものである。スライドブロック４１は、後端に第１板バネ３７を押し下げるためのテーパ面４２を有する。図２４に示すように、スライドブロック４１は、後方へスライドすることでテーパ面４２で第１板バネ３７を押し下げ、係合穴３８を雄側ロック機構３３たる突起から抜くようになっている。
【０００８】
なお、図２２、図２３及び図２４は、説明を分かりやすくするために、スライドブロック４１の厚みや第１板バネ３７の反り具合などを強調した記載となっているが、実際の第１板バネ３７やロック部は基板３０に当たらない寸法に設定されている。
【０００９】
また、ケージ３２の形状（寸法や係合穴３８の位置）は、各メーカ共通の規格により規定されている。
【００１０】
【特許文献１】
米国特許第６４３９９１８Ｂ１号明細書（第３Ｂ図、第４図）
【００１１】
【発明が解決しようとする課題】
ところで、パネルにおける開口部の配置を集約するために、開口部は上下多段に配置するのが望ましく、開口部の上下間隔はできるだけ小さくすることが望ましい。
【００１２】
しかしながら、パッケージ３１の上下間隔を小さく設定すると、図２５に示すようにスライドブロック４１が下段のパッケージ３１に接近しすぎ、指先（参考のため図示）でスライドブロック４１を所定のロック解除位置まで押し込むのが困難となってしまう課題があった。また、パッケージ３１を前方に引き抜くには、パッケージ３１の前部を指でつまんで行うが、パッケージ３１の上下間隔や左右間隔が狭くなると困難になってしまう課題があった。
【００１３】
そこで、本発明の目的は、上記課題を解決し、ロックの解除を容易にでき、容易にケージから取り外すことのできる安価で組立容易なロック機構付きパッケージを提供することにある。
【００１４】
【課題を解決するための手段】
上記目的を達成するために本発明は、ケージ内に挿抜自在に挿入されるパッケージ本体と、該パッケージ本体に挿抜方向と交差する方向に出没可能に設けられ上記ケージに抜き取り方向の移動を規制するように係合されるロック部と、上記パッケージ本体に挿抜方向スライド自在に設けられ抜き方向にスライドすることで上記ロック部を上記パッケージ本体内に没入させて上記ケージから離すリリース部材とを備えたものである。
【００１５】
リリース部材を抜き方向にスライドさせることでケージとパッケージとのロックを容易に解除できる。
【００１６】
そして、上記パッケージ本体に、上記リリース部材の少なくとも一部を収容するリリース部材収容部を形成したものである。
【００１７】
また、上記リリース部材は、挿し方向へスライドさせたとき上記パッケージ本体に完全に没入する位置までスライド可能に設けられるとよい。
【００１８】
そして、上記リリース部材はそのスライド行程中に、上記パッケージ本体に完全に没入する位置から略無負荷で抜き方向にスライドしてパッケージ本体から突出する遊び行程と、上記ロック部に係合してロック部を上記ケージから離脱させるロック解除行程と、上記パッケージ本体に抜き側へのスライドを規制されてパッケージ本体に抜き方向の力を伝える引き抜き行程とを有するとよい。
【００１９】
また、上記リリース部材をそのスライド方向に沿って弾発付勢する弾性部材を備えるとよい。
【００２０】
そして、上記リリース部材を抜き方向に弾発付勢する弾性部材と、該弾性部材の弾発力に抗して上記リリース部材のスライドを規制するスライド規制機構とを備えるとよい。
【００２１】
また、上記パッケージ本体に設けられ上記リリース部材がスライドしたときに上記リリース部材に係合して上記ロック部を上記パッケージ本体内に没入させる従動部を備えるとよい。
【００２２】
そして、上記従動部は上記リリース部材に当接するテーパを有するとよい。
【００２３】
また、上記従動部は上記パッケージ本体に枢支または一体形成されるとよい。
【００２４】
上記リリース部材は上記ロック部を出没方向に貫通させる開口部を有するとよい。
【００２５】
上記リリース部材は抜き側の端部に取っ手を有するとよく、取っ手はリリース部材の一部を成型して形成されるとよい。
【００２６】
また、上記パッケージ本体は、上記取っ手を収容すべく上記取っ手の周囲を切り欠いて形成した収容スペースを有するとよい。
【００２７】
そして、上記パッケージ本体に、上記リリース部材が上記ロック部を没入させているときに上記リリース部材に係合して上記リリース部材の抜き方向の相対移動を規制するストッパ手段を設けるとよい。
【００２８】
【発明の実施の形態】
本発明の好適実施の形態を添付図面に基づいて詳述する。
【００２９】
図１９に示すように、ロック機構付きパッケージ１を取り付ける通信機器２は箱型シャーシ３の前面をフランジ付きパネル４にしたもので、パネル４にはパッケージ１を挿入するための窓５が縦横に複数列形成されている。箱型シャーシ３内には、窓５に位置を合わせるように複数のケージ（図示せず）を整列配置した基板（図示せず）が上下に重ねて収容されている。ケージと基板は上述した従来技術と同じものである。以降、ケージと基板については図面に同符号を付し、説明を省く。
【００３０】
図１はケージ３２内に挿入されたパッケージ１を上方から見下ろした斜視図であり、図２は図１のパッケージ１を下から見上げた斜視図であり、図３は図１のパッケージ１の要部側断面図である。
【００３１】
図１及び図２に示すように、パッケージ１は、ケージ３２内に挿抜自在に挿入されるパッケージ本体６と、パッケージ本体６に設けられケージ３２の雌側ロック機構３４にロックされる雄側ロック機構７と、パッケージ本体６に設けられ雌雄ロック機構７，３４のロックを解除するためのリリース機構８とを備えて構成されている。
【００３２】
図２及び図４に示すように、パッケージ本体６は、挿抜方向（前後方向）に長い略直方体状に形成されケージ３２内に収容される胴部９と、胴部９の前側（抜き側）に一体に形成されケージ３２外に露出される頭部１０とからなる。頭部１０は、上下左右の外形寸法をケージ３２と略同じに形成されており、光ファイバコネクタ（図示せず）を装着するためのソケット１１を有する。
【００３３】
図３及び図４に示すように、雄側ロック機構７は、胴部９に挿抜方向と交差（直交）する方向に出没可能に設けられケージ３２の係合穴３８に挿入されるロック部１２からなる。具体的には、ロック部１２は、胴部９の底面１３に一端を支持された第２板バネ１４の他端側から下方に延びる突起からなり、係合穴３８の形状にマッチするように三角柱状に形成されている。第２板バネ１４は、胴部９の底面１３に一体に形成されており、パッケージ本体６には第２板バネ１４の没入を許容するための空間１９が形成されている。
【００３４】
図３、図４及び図５に示すように、リリース機構８は、後述するリリース部材１５を抜き方向にスライドすることでロック部１２をケージ３２から押し離すものであり、パッケージ本体６に前後方向スライド可能に設けられたリリース部材１５と、パッケージ本体６に形成されリリース部材１５をスライド可能に収容するリリース部材収容部１６と、パッケージ本体６に設けられリリース部材１５がスライドしたときにリリース部材１５に係合してロック部１２をパッケージ本体６内に没入させる従動部１７とを備えて構成されている。
【００３５】
リリース部材１５は、金属板等の剛性のある板材からなり、所定位置にスライドすることで従動部１７を押し退けてロック部１２をケージ３２から離すようになっている。また、リリース部材１５は、挿し方向へスライドさせたときパッケージ本体６に完全に没入する位置までスライド可能に設けられている。そして、リリース部材１５のスライド行程は、パッケージ本体６に完全に没入する位置から略無負荷で抜き方向にスライドしてパッケージ本体６から突出する遊び行程と、ロック部１２に係合してロック部１２をケージ３２から離脱させるロック解除行程と、パッケージ本体６に抜き側へのスライドを規制されてパッケージ本体６に抜き方向の力を伝える引き抜き行程とを備えて構成されている。
【００３６】
また、リリース部材１５は、ロック部１２を出没方向に貫通させる開口部２０を有する。開口部２０は、パッケージ１をケージ３２内に収めた状態でロック部１２を貫通させるように位置を決定されており、挿抜方向に長く形成されている。また、リリース部材１５は一端（前端）を上側（頭部１０の中央側）にフック状に屈曲成型してなる取っ手２５を有し、指先を上から引っ掛け易いようになっている。
【００３７】
リリース部材収容部１６は、パッケージ本体６の底面１３に前後に延びる溝状の窪みを形成すると共に、窪みの開口の両側にリリース部材１５の底面両側を下方から支持してリリース部材１５の側部をパッケージ本体６の底面１３との間に収容するためのガイド２１を設けてなるものであり、リリース部材１５を露出させつつ挿抜方向スライド可能に収容するようになっている。
【００３８】
また、頭部１０の下部には、リリース部材収容部１６から延びるリリース部材１５を前後方向スライド可能に挿通させるためのスリット１８が形成されており、リリース部材１５の前端を引き抜き側に露出させるようになっている。
【００３９】
スリット１８内には、リリース部材１５の開口部２０内に突起するストッパ（ストッパ手段）２３が設けられており、リリース部材１５の引き抜き方向の移動を規制するようになっている。具体的には、ストッパ２３はスリット１８の下端からリリース部材１５の板厚の２〜３倍の高さ突起するように形成されており、スリット１８の上端との間にリリース部材１５が通過できる程度の隙間を空けるようになっている。この隙間は、リリース部材１５をパッケージ本体６から脱着するためのものである。
【００４０】
従動部１７は、第２板バネ１４と、ロック部１２の後部に形成され前方（引き抜き方向）へ向けて徐々に開口部２０内に突出するテーパ２４とを有する、リリース部材１５が引き抜かれることで開口部２０の後端に当たってパッケージ本体６側に押し込まれるようになっている。
【００４１】
また、パッケージ１の頭部１０は、スリット１８の前端の周囲を弓なり状に後退させるように切り欠いて形成されており、取っ手２５を収容すると共にリリース部材１５の前端近傍に指先を入れるための収容スペース２２を形成するようになっている。
【００４２】
次に本実施の形態の作用を述べる。
【００４３】
図１、図２及び図３に示すように、ケージ３２内に収容され、雌雄ロック機構７，３４を介してケージ３２にロックされたパッケージ１をケージ３２から取り外す場合、リリース部材１５の取っ手２５に指先を引っ掛け、リリース部材１５を引く。このとき、取っ手２５は頭部１０の収容スペース２２内に収容されているが、収容スペース２２は指先を入れやすいように形成されており、かつ、リリース部材１５は従動部１７に当たるまでのスライド行程をほとんど無負荷でスライドする遊びとしているため、容易にリリース部材１５のみを引くことができる。また、取っ手２５は、リリース部材１５の前端を上側にフック状に屈曲してなるものであり、パッケージ１の正面に指先を入れて取っ手２５を下方へ押しながら引けるため、パッケージ１同士がいかに上下左右に近接していてもリリース部材１５を容易に引き出すことができる。
【００４４】
図６、図７、図８、図９及び図１０に示すように、リリース部材１５をパッケージ本体６から引き抜くと、リリース部材１５はリリース部材収容部１６内をスライドし、開口部２０の後端がテーパ２４に当たる。そしてさらにリリース部材１５を引き出すと、テーパ２４を有するロック部１２はリリース部材１５に押されてパッケージ本体６内に没入されたのち、リリース部材１５に覆われ、突出方向の移動を規制される。これにより、ロック部１２は係合穴３８内から抜かれロックが解除される。また、このときリリース部材１５は、開口部２０に設けられたガイド２１により下方（ケージ３２側）への移動を規制されているため、テーパ２４に押し動かされることはない。
【００４５】
そして、リリース部材１５をさらに引くと、開口部２０の後端がストッパ２３に当たり、パッケージ本体６に対するスライドを規制される。すなわち、リリース部材１５がロック部１２をケージ３２から離したときにストッパ２３がリリース部材１５に係合してリリース部材１５に作用する引き抜き方向の力をパッケージ本体６に伝える。
【００４６】
図１１及び図１２に示すように、この状態からさらにリリース部材１５を引くと、パッケージ１をケージ３２から容易に引き出すことができる。
【００４７】
パッケージ１をケージ３２内にセットするときは、図４に示すようにリリース部材１５をパッケージ本体６内に押し込んでロック部１２を開口部２０から突出させたのち、パッケージ１をケージ３２内に挿入する。ロック部１２は、第１板バネ３７の反り３９に当たり、第１板バネ３７に押し込まれつつ第１板バネ３７を押し下げる。そして、ロック部１２は、所定の位置に到達することで係合穴３８内に挿入される。
【００４８】
このように、ケージ３２内に挿抜自在に挿入されるパッケージ本体６と、パッケージ本体６に挿抜方向と交差する方向に出没可能に設けられケージ３２に抜き取り方向の移動を規制するように係合されるロック部１２と、パッケージ本体６に挿抜方向スライド自在に設けられ抜き方向にスライドすることでロック部１２をパッケージ本体６内に没入させてケージ３２から離すリリース部材１５とを備えてパッケージ１を構成したため、リリース部材１５を引くだけでケージ３２とロック部１２の係合を解くことができ、パッケージ１同士が上下左右に近接していても容易にロックを解除できる。
【００４９】
そして、パッケージ本体６に、リリース部材１５の少なくとも一部を収容するリリース部材収容部１６を形成したため、リリース部材１５をスライド自在にガイドするための構造を簡単にできる。
【００５０】
また、リリース部材１５は、挿し方向へスライドさせたときパッケージ本体６に完全に没入する位置までスライド可能に設けるものとしたため、誤操作によってリリース部材１５を引き出してしまうのを防ぐことができる。
【００５１】
そして、リリース部材１５はそのスライド行程中に、パッケージ本体６に完全に没入する位置から略無負荷で抜き方向にスライドしてパッケージ本体６から突出する遊び行程と、ロック部１２に係合してロック部１２をケージ３２から離脱させるロック解除行程と、パッケージ本体６に抜き側へのスライドを規制されてパッケージ本体６に抜き方向の力を伝える引き抜き行程とを有するものとしたため、リリース部材１５を容易に引くことができると共に、ケージ３２からパッケージ本体６を確実に取り外すことができる。
【００５２】
また、パッケージ本体６に設けられリリース部材１５がスライドしたときにリリース部材１５に係合してロック部１２をパッケージ本体６内に没入させる従動部１７を備えたため、リリース部材１５を引くことでロック部１２を確実にパッケージ本体６内に没入させることができる。
【００５３】
そして、従動部１７はリリース部材１５に当接するテーパ２４を有するものとしたため、従動部１７を簡単な構造にできる。
【００５４】
また、従動部１７はパッケージ本体６に一体形成されるものとしたため、ロック機構付きパッケージ１を簡単な構造にできる。
【００５５】
そして、リリース部材１５はロック部１２を出没方向に貫通させる開口部２０を有するものとしたため、リリース部材１５にロック部１２を貫通させてパッケージ本体６から突出させることができる。
【００５６】
また、リリース部材１５は抜き側の端部に取っ手２５を有するものとしたため、パッケージ１同士が上下左右に近接していても容易にリリース部材１５に指先を引っ掛けることができ、容易にリリース部材１５を引くことができる。
【００５７】
そして、取っ手２５はリリース部材１５の一部を成型して形成するものとしたため、簡単かつ安価に製作できる。
【００５８】
また、パッケージ本体６は、取っ手２５を収容すべく取っ手２５の周囲を切り欠いて形成した収容スペース２２を有するため、ロック中には光ファイバコネクタの着脱作業の邪魔とならないように取っ手２５を収容しておくことができると共に、指先をリリース部材１５に容易に引っ掛けることができる。
【００５９】
そして、パッケージ本体６に、リリース部材１５がロック部１２を没入させているときにリリース部材１５に係合してリリース部材１５の抜き方向の相対移動を規制するストッパ２３を設けたため、ロック解除するために引いたリリース部材１５を更に引くだけでケージ３２からパッケージ１を容易に引き抜くことができる。
【００６０】
他の実施の形態について述べる。
【００６１】
図１３、図１４及び図１５に示すロック機構付きパッケージ５０は、上述のパッケージ１の従動部１７と、ロック部１２と、リリース部材１５とに変更を加えたものであり、他の構成について同様である。上述と同様の構成については説明を省き、図面に同符号を付す。
【００６２】
従動部５１は、第２板バネ１４と、第２板バネ１４に後述するロック部５２よりも基端側に位置して設けられ、前方へ向けて徐々に第１開口部５３内に突出するテーパ５４とを備えて構成されている。テーパ５４は、ロック部５２よりも突出高さを小さく形成されており、ケージ３２内にパッケージ５０を挿入したときにケージ３２に当たらないようになっている。
【００６３】
ロック部５２は、第２板バネ１４の自由端から下方に延びる突起からなり、係合穴３８の形状にマッチするように三角柱状に形成されている。すなわち、ロック部５２とテーパ５４は、第２板バネ１４に前後に離間して設けられている。
【００６４】
リリース部材５５は、金属板等の剛性のある板材からなり、ロック部５２及びテーパ５４を出没方向に貫通させる第１開口部５３と、第１開口部５３の前側に離間して形成されストッパ２３を挿通させるための第２開口部５６とを有する。
第１開口部５３は、リリース部材５５をパッケージ本体５７内に収めた状態でロック部５２とテーパ５４を貫通させるように位置を決定されており、前後方向に長く形成されている。第２開口部５６は、前端又は後端をストッパ２３に当てることでリリース部材５５のスライド範囲を規制するようになっている。また、リリース部材１５は前端に取っ手２５を有し、指先を上から引っ掛け易いようになっている。
【００６５】
次に本実施の形態の作用を述べる。
【００６６】
図１３に示すように、ケージ３２にロックされたパッケージ５０をケージ３２から取り外す場合、リリース部材５５の取っ手２５に指先を引っ掛け、リリース部材５５を引き出す。リリース部材５５はリリース部材収容部１６内をスライドし、第１開口部５３の後端がテーパ５４に当たる。そしてさらにリリース部材５５を引き出すと、図１６、図１７及び図１８に示すように、テーパ５４は第１開口部５３の後端に押されてパッケージ本体５７内に没入される。このとき、テーパ５４と共に第２板バネ１４の自由端側がパッケージ本体５７内に没入され、第２板バネ１４と共にロック部５２がパッケージ本体５７内に没入される。これにより、ロック部５２は係合穴３８から抜かれ、ロックが解除される。そして、リリース部材５５をさらに引くと、第２開口部５６の後端がストッパ２３に当たり、リリース部材５５はパッケージ本体５７に対するスライドを規制される。
【００６７】
この状態からさらにリリース部材５５を引くと、その力はストッパ２３を介してパッケージ本体５７に伝わり、パッケージ５０をケージ３２から容易に引き出すことができる。
【００６８】
なお、リリース部材１５，５５は、金属で形成するものとしたが、樹脂等の他の材料で形成してもよい。
【００６９】
また、リリース部材１５，５５の前端はフック状に屈曲するものとしたが、これに限るものではない。例えば、リリース部材１５，５５の前端に指先を掛けるためのリング（図示せず）を前方へ突出するように設けてもよい。
【００７０】
そして、従動部１７、５１を構成する第２板バネ１４は、胴部９の底面１３に一体に形成されるものとしたが、底面１３に枢支されるものとしてもよい。この場合、ロック部１２、５２を小さな力でパッケージ本体６、５７内に没入させることができ、リリース部材１５、５５を容易にパッケージ本体６、５７から引き出すことができる。
【００７１】
また、図２０、図２１に示すように、パッケージ本体５７とリリース部材５５との間にリリース部材５５をスライド方向に沿って弾発付勢する弾性部材６０、６１を設けてもよい。図２０に示す弾発部材６０は、リリース部材５５を挿し方向へ向けて弾発付勢するものであり、リリース部材５５の挿し方向側の端部とパッケージ本体５７の後端部との間に設けられたスプリングからなる。このように、リリース部材５５を挿し方向へ向けて弾発付勢する弾性部材６０を備えることにより、リリース部材５５を引くとき以外は常にリリース部材５５をパッケージ本体５７内に没入させておくことができ、取り扱いを容易にできる。
【００７２】
図２１に示す弾発部材６１は、リリース部材５５を抜き方向へ向けて弾発付勢するものであり、リリース部材５５の挿し方向側の端部とパッケージ本体５７の後端部との間に設けられたスプリングからなる。パッケージ本体５７には、弾性部材６１の弾発力に抗してリリース部材５５のスライドを規制するスライド規制機構６２が設けられている。具体的には、スライド規制機構６２は、パッケージ本体５７に回動自在に設けられリリース部材５５に係脱可能に係合される爪部材６３と、爪部材６３をリリース部材５５から離脱させるように回動させる操作機構（図示せず）とを備えて構成されている。爪部材６３は、リリース部材５５がパッケージ本体５７内に没入されたときにリリース部材５５に係合してリリース部材５５の抜き方向へのスライドを規制するように構成されている。
【００７３】
【発明の効果】
以上要するに本発明によれば、次のような優れた効果を奏する。
（１）パッケージとケージのロックを容易に解除できる。
（２）パッケージをケージから容易に取り外すことができる。
【図面の簡単な説明】
【図１】本発明の好適実施の形態を示すロック機構付きパッケージをケージに装着した状態の斜視図である。
【図２】ケージに装着したロック機構付きパッケージの斜視図である。
【図３】ケージに装着したロック機構付きパッケージの側断面図である。
【図４】ロック機構付きパッケージの斜視図である。
【図５】ロック機構付きパッケージの要部斜視図である。
【図６】リリース部材を引き出したロック機構付きパッケージとケージの斜視図である。
【図７】リリース部材を引き出したロック機構付きパッケージとケージの斜視図である。
【図８】リリース部材を引き出したロック機構付きパッケージとケージの側断面図である。
【図９】リリース部材を引き出したロック機構付きパッケージの斜視図である。
【図１０】リリース部材を引き出したロック機構付きパッケージの要部斜視図である。
【図１１】ケージから引き出したロック機構付きパッケージの斜視図である。
【図１２】ケージから引き出したロック機構付きパッケージの斜視図である。
【図１３】他の実施の形態を示すケージに装着したロック機構付きパッケージの側断面図である。
【図１４】他の実施の形態を示すロック機構付きパッケージの斜視図である。
【図１５】他の実施の形態を示すロック機構付きパッケージの要部斜視図である。
【図１６】他の実施の形態を示すリリース部材を引き出したロック機構付きパッケージとケージの側断面図である。
【図１７】他の実施の形態を示すリリース部材を引き出したロック機構付きパッケージの斜視図である。
【図１８】他の実施の形態を示すリリース部材を引き出したロック機構付きパッケージの要部斜視図である。
【図１９】通信機器の斜視図である。
【図２０】他の実施の形態を示すロック機構付きパッケージの要部拡大側断面図である。
【図２１】他の実施の形態を示すロック機構付きパッケージの要部拡大側断面図である。
【図２２】従来のロック機構付きパッケージの斜視図である。
【図２３】従来のロック機構付きパッケージの斜視図である。
【図２４】従来のロック機構付きパッケージの斜視図である。
【図２５】従来のロック機構付きパッケージを利用した通信機器の側断面図である。
【符号の説明】
１  ロック機構付きパッケージ
６  パッケージ本体
１２  ロック部
１５  リリース部材
１６  リリース部材収容部
１７  従動部
２０  開口部
２２  収容スペース
２３  ストッパ
２４  テーパ
２５  取っ手
３２  ケージ
３８  係合穴
５０  ロック機構付きパッケージ
５１  従動部
５２  ロック部
５３  第１開口部
５４  テーパ
５５  リリース部材
５７  パッケージ本体
６０  弾性部材
６１  弾性部材
６２  スライド規制機構
【図１】
2004309576.tif 000003
【図２】
2004309576.tif 000004
【図３】
2004309576.tif 000005
【図４】
2004309576.tif 000006
【図５】
2004309576.tif 000007
【図６】
2004309576.tif 000008
【図７】
2004309576.tif 000009
【図８】
2004309576.tif 000010
【図９】
2004309576.tif 000011
【図１０】
2004309576.tif 000012
【図１１】
2004309576.tif 000013
【図１２】
2004309576.tif 000014
【図１３】
2004309576.tif 000015
【図１４】
2004309576.tif 000016
【図１５】
2004309576.tif 000017
【図１６】
2004309576.tif 000018
【図１７】
2004309576.tif 000019
【図１８】
2004309576.tif 000020
【図１９】
2004309576.tif 000021
【図２０】
2004309576.tif 000022
【図２１】
2004309576.tif 000023
【図２２】
2004309576.tif 000024
【図２３】
2004309576.tif 000025
【図２４】
2004309576.tif 000026
【図２５】
2004309576.tif 000027